(57)【要約】      （修正有）【課題】台座にコイルが定位されるコネクタ用コイル定位台座であって、製造が容易で、生産性が向上するコネクタ用コイル定位台座を提供する。【解決手段】コネクタ用コイルの定位台座は、複数のコイルの数に対応する収容部５１を有する台座５０を含み、台座に複数の金属ガイドニードル６１を有するサイド連接板６０が組付けられ、台座の下部にＲＣ素子３１を含むプリント基板が設けられ、プリント基板の下部にコネクタ２０が設けられ、台座の収容部に各々１つのコイルが設置され、収容部間及び収容部と台座の外側面との間に、電気的連接方法に応じた異なる深さの溝５２．５３が設けられ、コイルが濾波及び異常電圧防止機能を有し、ＲＣ素子を含むプリント基板に電気的に連接されることによる。【選択図】図２
0003118754.tif 000002
【実用新案登録請求の範囲】
【請求項１】
複数のコイルの数に対応する収容部を有する台座を含む、コネクタ用コイル定位台座であって、
前記台座に複数の金属ガイドニードルを有するサイド連接板が組付けられ、
前記台座の下部にＲＣ素子を含むプリント基板が設けられ、
前記プリント基板の下部にコネクタが設けられ、
前記台座の収容部に各々１つのコイルが設置され、
前記収容部間及び収容部と台座の外側面との間に、電気的連接方法に応じた異なる深さの溝が設けられ、
前記コイルが濾波（ウェーブフィルタ）及び異常電圧防止機能を有し、ＲＣ素子を含むプリント基板に電気的に連接されることを特徴とする、コネクタ用コイル定位台座。
【考案の詳細な説明】
【技術分野】
【０００１】
本考案はコネクタ用コイル定位台座に関し、特に、濾波（ウェーブフィルタ）及び異常電圧防止機能を持つ複数のコイルが、台座の収容部に設置され、関連する部材及び基板と電気的に連接される、コイル収容式コネクタ用コイル定位台座に関する。
【背景技術】
【０００２】
従来の通信用コネクタに用いられるコイルは一般に濾波（ウェーブフィルタ）及び異常電圧防止機能を有し、ＲＪ４５タイプのネットワーク用コネクタとして使用することができる。このようなコネクタの転送信号の周波数は、一般的には10MHz、100MHz、1000MHzであり、集積回路（IC）素子は、上記周波数を受けることが可能であるものが多く、コネクタに濾波（ウェーブフィルタ）用コイルを組付けると、上記範囲以外の周波数を有するノイズを濾過することができる。また、信号転送中に電圧が異常になると、素子が破損し易くなるが、コネクタにコイルを組付けると、異常電圧防止機能を有するものとなる。
【０００３】
従来の通信用コネクタにおいては、図１に示すように、コイルがプリント基板１２に任意に粘着され、コネクタ本体１０上に複数のコイル１１が組付けられ、これらのコイル１１がプリント基板１２上に任意に設置され、ゲル１３によって固定される。各コイル１１は互いに連接し、さらにプリント基板１２と連接することによって、濾波（ウェーブフィルタ）及び異常電圧防止機能を発揮する。
【０００４】
しかしながら、従来のコネクタ用コイル定位構造は、複数のコイル１１がプリント基板１２上に任意に設置され、ゲル１３によって固定されるものであり、コイルが正確に定位されず、製品の品質が不安定であり、欠陥も多い。
【０００５】
また、ゲルにより固定されているので、製品の検査が困難であり、組立作業に習熟を要し、生産性の高いものではなかった。
【考案の開示】
【考案が解決しようとする課題】
【０００６】
本考案の目的は、台座にコイルが確実に定位されるコネクタ用コイル定位台座であって、製造が容易で、生産性が向上するコネクタ用コイル定位台座を提供することである。
【課題を解決するための手段】
【０００７】
本考案者らは、鋭意研究を重ねた結果、コネクタの定位台座にコイル収容部を設けることによって、上記課題を解決するコネクタ用コイルの定位台座を完成した。
【０００８】
すなわち、本考案のコネクタ用コイル定位台座は、以下よりなる。
１．複数のコイルの数に対応する収容部を有する台座を含む、コネクタ用コイル定位台座であって、
前記台座に複数の金属ガイドニードルを有するサイド連接板が組付けられ、
前記台座の下部にＲＣ素子を含むプリント基板が設けられ、
前記プリント基板の下部にコネクタが設けられ、
前記台座の収容部に各々１つのコイルが設置され、
前記収容部間及び収容部と台座の外側面との間に、電気的連接方法に応じた異なる深さの溝が設けられ、
前記コイルが濾波（ウェーブフィルタ）及び異常電圧防止機能を有し、ＲＣ素子を含むプリント基板に電気的に連接されることを特徴とする、コネクタ用コイル定位台座。
【考案の効果】
【０００９】
本考案によれば、コイルがコイル定位台座に確実に定位でき、また、生産が容易となり、製造コストが低減される。
【考案を実施するための最良の形態】
【００１０】
以下に、本考案の一実施形態を示し、具体的に説明するが、本考案はこれらに限定されるものではない。
【００１１】
図２〜５に示すように、本考案のコネクタ用コイル定位台座は、台座５０にサイド連接板６０が組付けられ、台座５０の下部にＲＣ素子３１を含むプリント基板３０が設けられ、プリント基板３０の下部にはコネクタ２０が設けられる、本実施形態では、コイル４０は、絶縁材料より成型された台座５０に定位される。
【００１２】
台座５０は絶縁材料として樹脂より成型され、台座５０にはコイル４０に対応する数の収容部５１が成型される。本実施形態においては、収容部５１の直径及び深さはコイル４０よりもやや大きく、収容部５１内に各々１つのコイル４０が設置される。各コイル４０は、関連部材及びプリント基板３０と電気的に連接され、収容部５１間及び収容部５１と外側面との間には電気的連接方法に応じて、異なる深さを有する溝５２及び５３が設けられる。
【００１３】
台座５０には、サイド連接板６０と連接する面にピン５４及び５５が設けられる。サイド連接板６０には金属ガイドニードル６１が複数設けられる。サイド連接板６０のピン５４及び５５に対応する箇所に、貫通孔６２及び６３が設けられ、サイド連接板６０と台座５０とを組み合わせることができる。
【００１４】
各コイル４０を収容部５１内に設置し、コイル４０の銅線の端部とプリント基板３０とが電気的に連接される。
【産業上の利用可能性】
【００１５】
本考案により、コイル定位台座へのコイルの設置が容易なコネクタ用コイル定位台座を製造可能となる。
【図面の簡単な説明】
【００１６】
【図１】従来のコイル定位台座を示す斜視図である。
【図２】本考案のコイル定位台座の斜視図である。
【図３】本考案のコイル定位台座の分解図である。
【図４】本考案のコイル定位台座の側面図である。
【図５】本考案のコイル定位台座の平面図である。
【符号の説明】
【００１７】
１０    コネクタ本体
１１    コイル
１２    プリント基板
１３    ゲル
２０    コネクタ
３０    プリント基板
３１    ＲＣ素子
４０    コイル
５０    台座
５１    収容部
５２    溝
５３    溝
５４    ピン
５５    ピン
６０    サイド連接板
６１    金属ガイドニードル
６２    貫通孔
６３    貫通孔
【図１】
0003118754.tif 000003
【図２】
0003118754.tif 000004
【図３】
0003118754.tif 000005
【図４】
0003118754.tif 000006
【図５】
0003118754.tif 000007